(57)【要約】  コーヒーマシン用のミルクベース飲料を乳化するための装置が、互いに動作可能に関連付けられた、コーヒーマシン（３）に接続するための主蒸気コネクタ（２）と、ミルク容器（４）からミルクを引き出すための吸入管（５）と、混合本体（６）と、該混合本体（６）と主コネクタ（２）との間に配置された絞り孔（８）を有する蒸気コネクタ（７）と、混合本体（６）と関連付けられた混合要素（９）及び安定化要素（１０）とを含み、主蒸気コネクタ（２）は、コーヒーマシンに安全に接続するための第１の安全手段（１１）と、乳化飲料を容器（１４）内に導くように、主コネクタ（２）のヘッド（１３）の回転を制限するための第２の安全手段（１２）とを含む。【選択図】  図６
2018529458.tif 000002
【特許請求の範囲】
【請求項１】
コーヒーマシン用のミルクベース飲料を乳化するための装置であって、互いに動作可能に関連付けられた、前記コーヒーマシン（３）に接続するための主蒸気コネクタ（２）と、ミルク容器（４）からミルクを引き出すための吸入管（５）と、混合本体（６）と、前記混合本体（６）と前記主コネクタ（２）との間に配置された、絞り孔（８）を有する蒸気コネクタ（７）と、前記混合本体（６）と関連付けられた混合要素（９）及び安定化要素（１０）とを含む装置において、
前記主蒸気コネクタ（２）は、前記コーヒーマシンに安全に接続するための第１の安全手段（１１）と、乳化飲料を容器（１４）内に導くように、前記主コネクタ（２）のヘッド（１３）の回転を制限するための第２の安全手段（１２）とを含むことを特徴とする、装置。
【請求項２】
前記安定化要素（１０）は、前記乳化飲料を供給するための口部（１５）を有しており、前記口部を前記容器（１４）に近付けるために、前記混合要素（９）と摺動可能に関連付けられていることを特徴とする、請求項１に記載の装置。
【請求項３】
前記ミルク吸入管（５）は、前記ヘッド（１３）の回転度に応じて異なる形態を取ることができる弾性変形可能材料で作られていることを特徴とする、請求項１又は２に記載の装置。
【請求項４】
前記混合本体（６）は、回転平行移動によって作動する、前記ヘッド（１３）に対する取り外し可能な接続手段を有することを特徴とする、請求項１〜３のいずれか一項に記載の装置。
【請求項５】
前記第１の安全手段（１１）は、反対の回転方向に、ばね手段（２０）の作用によって移動可能な少なくとも１つのフック（１９）と、前記フック（１９）を、前記コーヒーマシン（３）と係合する位置から前記コーヒーマシンから分離する位置まで移動させるための少なくとも１つの押しボタン（２１）とを含むことを特徴とする、請求項１〜４のいずれか一項に記載の装置。
【請求項６】
前記第２の安全手段（１２）は、前記ヘッド（１３）の内部にある２つの互いに対向する壁（２３）を含み、前記壁は、前記主蒸気コネクタ（２）の内部にある終端停止部（２４）と選択的に係合できることを特徴とする、請求項１〜５のいずれか一項に記載の装置。
【請求項７】
前記ヘッド（１３）は、４５°まで回転可能であることを特徴とする、請求項１〜６のいずれか一項に記載の装置。
【請求項８】
前記混合本体（６）は、調整された吸気チャネル（２５）を有することを特徴とする、請求項１〜７のいずれか一項に記載の装置。
【請求項９】
前記混合要素は、弾性変形可能材料で作られており、混合チャンバ（２６）を内部に有することを特徴とする、請求項１〜８のいずれか一項に記載の装置。
【請求項１０】
前記安定化要素は、弾性変形可能材料で作られており、前記口部を前記容器（１４）に近付けるために、前記混合本体（１０）の移動に比例して容積が変化する安定化チャンバ（２９）を内部に有することを特徴とする、請求項１〜９のいずれか一項に記載の装置。
【請求項１１】
前記主蒸気コネクタ（２）は、前記コーヒーマシンに設けられた蒸気結合部（３０）と係合しており、前記蒸気結合部（３０）は、前記主コネクタの内部に配置され前記蒸気結合部と嵌合する形状を有するチャネルと結合するようにテーパ状であることを特徴とする、請求項１〜１０のいずれか一項に記載の装置。
【請求項１２】
前記主コネクタは、互いに非対称の第１の摺動ガイド（３１）及び第２の摺動ガイド（３２）によって前記コーヒーマシンの正面に係合していることを特徴とする、請求項１〜１１のいずれか一項に記載の装置。
【発明の詳細な説明】
【技術分野】
【０００１】
本発明は、コーヒーマシン用のミルクベース（ｍｉｌｋ−ｂａｓｅｄ）飲料を乳化するための装置に関する。
【背景技術】
【０００２】
周知のように、現在では、例えばカプチーノなどを調製するためにミルクを乳化するための本装置は、実質的には、効率の高さ又は低さに起因する欠点があるが、非常に重要とされるのは、安全度及び種々の構成要素の完全洗浄の容易さである。
【０００３】
実際に、想像に難くない理由で、ユーザの安全性は、コーヒーマシンの製造者からますます注目を集めており、これらの装置内にミルク残留物をもたらす既知の問題を考慮して、簡単かつ迅速な方法で装置の最適な洗浄を達成する可能性は、コーヒーマシンの選択において不可欠な要素となっている。
【発明の概要】
【０００４】
本発明の課題は、従来技術の上記の技術的欠点をなくす、コーヒーマシン用のミルクベース飲料を乳化するための装置を提供することである。
【０００５】
この課題の範囲内で、本発明の１つの目的は、圧力及び起こり得る衝撃、又はユーザ側の不注意を被る全ての要素が高い安全度を有する、コーヒーマシン用のミルクベース飲料を乳化するための装置を提供することである。
【０００６】
本発明の別の目的は、ミルク又は蒸気にさらされる全ての要素を簡単に洗うことができかつ互いから取り外すことができる、コーヒーマシン用のミルクベース飲料を乳化するための装置を提供することである。
【０００７】
本発明のさらなる目的は、正面から挿入し、ユーザ操作の精度に関係なくコーヒーマシンに接続する可能性を有する、コーヒーマシン用のミルクベース飲料を乳化するための装置を提供することである。
【０００８】
本発明のさらに別の目的は、コーヒーマシン及びミルク容器両方の間の接続及び分離の際、並びに、容器のサイズに関係なくはねが生じないようにエマルジョン（乳剤、ｅｍｕｌｓｉｏｎ）を容器内に供給するに、ユーザの手の操作能力を補償する、コーヒーマシン用のミルクベース飲料を乳化するための装置を提供することである。
【０００９】
この課題並びにこれらの及び他の目的は、コーヒーマシン用のミルクベース飲料を乳化するための装置であって、互いに動作可能に関連付けられた、コーヒーマシンに接続するための主蒸気コネクタと、ミルク容器からミルクを引き出すための吸入管と、混合本体と、混合本体と主コネクタとの間に配置された、絞り孔を有する蒸気コネクタと、混合本体と関連付けられた混合要素及び安定化要素とを含み、主蒸気コネクタは、コーヒーマシンに安全に接続するための第１の安全手段と、乳化飲料を容器（１４）内に導くように、主コネクタのヘッドの回転を制限するための第２の安全手段とを含む装置により実現される。
【００１０】
さらに、本発明の付加的な特徴は、装置の構造をさらに良く明確にする主請求項に従属する請求項において定められる。
【００１１】
本発明の付加的な特徴及び利点は、添付図面における限定されない例として示される、本発明によるコーヒーマシン用のミルクベース飲料を乳化するための装置の好ましいが排他的ではない実施形態の説明からより明らかになるであろう。
【図面の簡単な説明】
【００１２】
【図１】本発明による、コーヒーマシンと関連した装置の斜視図である。
【図２】本発明による装置の分解斜視図である。
【図３】本発明による、部分的に開いた装置及びコーヒーマシンの部分的な詳細斜視図である。
【図４】本発明による第１の安全手段の上から見た概略図である。
【図５】本発明による装置のヘッドの回転の可能性を示している。
【図６】本発明による第２の安全手段を概略的に示している。
【図７】本発明によるバヨネット・システムによって回転ヘッドに接続された混合本体の部分図である。
【図８】本発明による装置の正面断面立面図である。
【図９】本発明による安定化要素の動きを見ることができる装置の正面断面立面図である。
【図１０】本発明による安定化要素の動きを見ることができる装置の正面断面立面図である。
【発明を実施するための形態】
【００１３】
上述の図を参照すると、これらの図は、コーヒーマシン用のミルクベース飲料を乳化するための装置を示す。
【００１４】
上述の図を参照すると、コーヒーマシン用のミルクベース飲料を乳化するための装置は、その全体が参照符号１で示される。
【００１５】
装置１は、主蒸気コネクタ２を含み、該主蒸気コネクタ２は、圧力下でそこから蒸気が供給されることにより真空を発生させ、ベンチュリ効果により、ミルクを引き出すための吸入管５を通じてミルク容器４内に存在する予め決められた量のミルクを引き出すことができるように、コーヒーマシン３と関連付けられている。
【００１６】
装置１は、混合本体６と、該混合本体６と主コネクタ２との間に配置された、蒸気圧を調整するための、絞り孔８が設けられた蒸気コネクタ７とをさらに有する。
【００１７】
空気をミルク及び蒸気と混合するための混合要素９、及び得られたエマルジョン（乳剤）を安定化させるための安定化要素１０が、混合本体６と関連付けられる。
【００１８】
有利なことに、主蒸気コネクタ２は、コーヒーマシン３への安全な接続するための、その全体を符号１１で示す第１の安全手段と、乳化飲料を、安定化要素１０を通って様々なサイズのカップとすることができる容器１４内に導くように、主コネクタ２のヘッド１３の回転を制限するための、その全体を符号１２で示す第２の安全手段とを含む。
【００１９】
好都合なことに、安定化要素１０は、乳化飲料を供給するための口部１５を有し、環状拡大部１６を介して混合本体６と摺動可能に関連付けられ、かつ、環状歯１７によりその最外位置においてそこに保持される。
【００２０】
このように、口部１５は、容器１４の高さに応じて簡単かつ迅速な方法で容器１４に近付けることが可能であり、それにより、容器の外の方へのいずれのミルク・エマルジョンのはねも回避される。
【００２１】
好都合なことに、ミルク吸入管５は、いずれのミルク容器にも適合可能であるように、とりわけ、容器４から外に出ることなくヘッド１３の回転度に応じて異なる形態を取ることができるように、弾性変形可能材料で作られる。
【００２２】
混合本体６は、取り外し可能な接続手段、具体的には、ヘッド１３に接続するためのバヨネット接続部１８を有する。
【００２３】
バヨネット１８は、回転平行移動によって作動し、そのため、一方では、高圧及び偶発的な衝撃の場合でも接続が安全なものとなり、他方では、装置を構成する全ての要素を洗浄するために、ユーザにより簡単に外すことができる。
【００２４】
第１の安全手段１１は、反対の回転方向に、弾性手段、具体的にはばね２０の作用によって移動可能な少なくとも１つのフック１９を含む。
【００２５】
フック１９を、コーヒーマシン３と係合する位置から該コーヒーマシン３から分離する位置まで移動させるための押しボタン２１が設けられる。
【００２６】
第２の安全手段１２は、ヘッド１３の内部にあり、主蒸気コネクタ２の内部にある傾斜した受け面をもつ終端停止部２４と選択的に係合することができる２つの互いに対向する壁２３を含むので、ヘッド１３を４５°まで、好ましくは約３０°だけ回転させ、エマルジョンを容器１４の中央区域に導き、エマルジョンが誤ってマシンの近傍に向けられるのを防止することができる。
【００２７】
混合本体６は、該混合本体６と蒸気コネクタ７の側部との間に実質的に延びる調整された吸気チャネル２５も有する。
【００２８】
混合要素９は、弾性変形可能材料で作られ、混合チャンバ２６を内部に有し、その弾性のため混合本体６に接続され、それにより、環状凹部２７が、混合本体６上に作られたリング２８に係合することが可能になる。
【００２９】
有利なことに、安定化要素１０もまた弾性変形可能材料で作られ、その口部１５を容器１４に近付けるために、安定化要素１０の移動に比例して容積が変化する安定化チャンバ２９を内部に有する。
【００３０】
主蒸気コネクタ２は、コーヒーマシン３上に設けられた蒸気結合部３０と係合し、従って、蒸気結合部３０は、主コネクタ２内に配置されこれと嵌合する形状を有するチャネルと結合されるようにテーパ状である、漸進的なシールを保証する。
【００３１】
とりわけ重要なことに、主コネクタ２は互いに非対称の第１及び第２の摺動ガイド３１及び３２によって正面向きでコーヒーマシンと係合し、蒸気結合部３０のテーパと共に、ユーザにより装置１をコーヒーマシン３に挿入する際、あらゆる垂直方向及び水平方向の傾きの補償を保証することに留意されたい。
【００３２】
コーヒーマシン用のミルクベース飲料を乳化するための装置は、過度の圧力若しくは衝撃、又はユーザによる正しくない挿入のいずれかに起因してマシンから偶発的に外れることを防止することにより、高い安全度を保証するため、特に有利であることが実際に観察された。
【００３３】
さらに、有利なことに、装置の全ての要素は、互いから簡単に取り外すこと及び洗うことが可能であり、従って、高い衛生度が保証される。
【００３４】
このように想到したコーヒーマシン用のミルクベース飲料を乳化するための装置に、多数の修正及び変形を施すことができ、それらの全てが本発明の概念の範囲内に入り、さらに全ての詳細は、技術的に等価な要素と置き換え可能である。
【００３５】
使用される材料並びに寸法は、必要性及び最新技術に応じて、実際には、どのようなタイプのものであってもよい。
【図１】
2018529458.tif 000003
【図２】
2018529458.tif 000004
【図３】
2018529458.tif 000005
【図４】
2018529458.tif 000006
【図５】
2018529458.tif 000007
【図６】
2018529458.tif 000008
【図７】
2018529458.tif 000009
【図８】
2018529458.tif 000010
【図９】
2018529458.tif 000011
【図１０】
2018529458.tif 000012
【国際調査報告】
2018529458.tif 000013
2018529458.tif 000014